(57)【特許請求の範囲】
【請求項１】
円筒状支持部材の内周側に、光軸方向に移動自在に支持された円筒状をなすレンズ保持部材と、
この円筒状支持部材とレンズ保持部材との間に位置し、光軸を中心として独立に回動可能な複数の回動部材と、
上記レンズ保持部材に相対回動自在に嵌まる開口を有し、該レンズ保持部材と上記円筒状支持部材との間に位置する、各回動部材に対応させて設けた複数のリング状遮光部材と、
を備え、
上記複数のリング状遮光部材はそれぞれ、対応する回動部材に嵌合して該回動部材と一緒に該リング状遮光部材を回動させる切欠部と、この切欠部とは光軸方向から見て重複しない位置にあって残りの回動部材の相対回動を許容する許容部とを有し、
各リング状遮光部材は、その許容部が、光軸方向から見たとき他の遮光部材によって塞がれる位置に配置され、これら複数のリング状遮光部材によって、上記円筒状支持部材とレンズ保持部材との間に進入した光路外光を遮光することを特徴とするレンズ鏡筒の遮光構造。
【請求項２】
請求項１記載のレンズ鏡筒の遮光構造において、複数の回動部材の回動範囲は、光軸からの距離が等しい同一円周上に設けられているレンズ鏡筒の遮光構造。
【請求項３】
請求項１または２記載のレンズ鏡筒の遮光構造において、レンズ鏡筒はさらに、絞り羽根と手動により回転操作される絞り環とを備え、
上記複数の回動部材には、カメラボディ側からの動力により光軸を中心に回動し、絞り羽根を開閉させるレリーズレバーと、絞り環の回転に連動して光軸を中心に回動し、絞り羽根を開閉させる絞りレバーとが少なくとも含まれているレンズ鏡筒の遮光構造。
【請求項４】
請求項３記載のレンズ鏡筒の遮光構造において、絞り羽根は、上記レンズ保持部材と共に光軸方向に移動するレンズ鏡筒の遮光構造。
【発明の詳細な説明】
【０００１】
【発明の技術分野】
本発明は、レンズ鏡筒の遮光構造に関する。
【０００２】
【従来技術およびその問題点】
カメラの交換レンズの中には、絞り羽根を開閉させる回動部材を備えたものがある。図６は、従来の一般的な２群タイプのズームレンズ１００を模式的に示している。ズームレンズ１００は、固定鏡筒１３０に対して回転可能なズーム操作環１４０と、第１群レンズ１１０を支持する第１レンズ枠２１０及び第２群レンズ１２０を支持する第２レンズ枠２２０を移動自在に保持するカム環１６０と、このカム環１６０をズーム操作環１４０に連動させるズームレバー１５０とを備え、ズーム操作環１４０の回転に応じてカム環１６０を回動させることにより、第１群レンズ１１０及び第２群レンズ１２０を光軸Ｏに沿って移動させている。
【０００３】
このズームレンズ１００において、絞り羽根１８０は、第２レンズ枠２２０に軸支され、絞り開閉リング１８０ａの回転によって開閉動作する。レリーズレバー１９０は、この絞り開閉リング１８０ａを回転駆動するもので、第２レンズ枠２２０と固定鏡筒１３０との間に配置されている。このレリーズレバー１９０は、マウント環１７０から外方に突出していて、カメラ側からの動力により回動される。そのため、通常は、レリーズレバー１９０の回転を干渉しないように、第２レンズ枠２２０と固定鏡筒１３０との間に逃げ部分が確保されている。しかし、この逃げ部分があるためにレリーズレバー１９０と第２レンズ枠２２０の間から光路外光４００が漏れてしまい、この光路外光４００がフィルム面に達して撮影に悪影響を及ぼすという弊害が生じていた。特に、テレ側（図６（ｂ））では、ワイド側（図６（ａ））よりも被写体側に第２レンズ枠２２０が移動されるため、漏光がひどくなる。
【０００４】
そこで従来では、以下のような遮光対策が採られている。先ず、最も一般的な対策は、光路外光を遮光する固定絞りをレンズ鏡筒内に設けることである。図７に示す従来例では、マウント環１７０の先端位置に固定された鏡筒固定絞り１７１と、第２レンズ枠２２０の後端位置に固定されたレンズ固定絞り２２１とが備えられている。この場合には、第２レンズ枠２２０が被写体側に移動してレリーズレバー１９０と第２レンズ枠２２０の間に光路外光４００が進入しても、鏡筒固定絞り１７１及びレンズ固定絞り２２１によって遮られる（図７（ｂ）参照）。これで十分な効果が得られない場合には、上述の固定絞り１７１、２２１の替わりに、レンズ枠と共に光軸方向へ移動する可動絞り枠（絞り値は一定）を設けることができる。図８に示す従来例では、第２レンズ枠２２０とマウント環１７０との間に可動絞り枠１９１を設け、可動絞り枠１９１をカム環１６０によって移動可能に保持させている。この場合には、第２レンズ枠２２０が被写体側に移動すると可動絞り枠１９１も連動して移動するため、可動絞り枠１９１により光路外光４００を遮光することができる（図８（ｂ）参照）。
【０００５】
しかしながら、例えば図９に示すように第２群レンズ１２０’（フィルム側のレンズ）が大きい場合や、レンズ移動量が大きい場合には、上述の遮光対策を採ることが設計的に困難であった。
【０００６】
【発明の目的】
本発明は、上記問題意識に鑑み、設計上の制約が少ない構造で、光路外光を確実に遮光できるレンズ鏡筒の遮光構造を得ることを目的とする。
【０００７】
【発明の概要】
本発明は、円筒状支持部材の内周側に、光軸方向に移動自在に支持された円筒状をなすレンズ保持部材と、この円筒状支持部材とレンズ保持部材との間に位置し、光軸を中心として独立に回動可能な複数の回動部材と、上記レンズ保持部材に相対回動自在に嵌まる開口を有し、該レンズ保持部材と上記円筒状支持部材との間に位置する、各回動部材に対応させて設けた複数のリング状遮光部材と、を備え、上記複数のリング状遮光部材はそれぞれ、対応する回動部材に嵌合して該回動部材と一緒に該リング状遮光部材を回動させる切欠部と、この切欠部とは光軸方向から見て重複しない位置にあって残りの回動部材の相対回動を許容する許容部とを有し、各リング状遮光部材は、その許容部が、光軸方向から見たとき他の遮光部材によって塞がれる位置に配置され、これら複数のリング状遮光部材によって、上記円筒状支持部材とレンズ保持部材との間に進入した光路外光を遮光することを特徴としている。
【０００８】
この構成によれば、独立に回動可能な回動部材が２つ以上備えられている場合でも、確実に光路外光を遮光できると共に、従来の遮光構造よりも省スペース化を図ることができる。
【０００９】
レンズ鏡筒に絞り羽根と手動により回転操作される絞り環とが備えられている場合は、複数の回動部材を、カメラボディ側からの動力によりレンズ光軸を中心に回動して絞り羽根を開閉させるレリーズレバーと、絞り環の回転に連動してレンズ光軸を中心に回動して絞り羽根を開閉させる絞りレバーとすることができる。絞り羽根は、レンズ保持部材と共に光軸方向に移動する。
【００１０】
【発明の実施の形態】
図１は、本発明による遮光構造を適用したズームレンズの一実施形態を示している。ズームレンズ１０は、被写体側（図１の左方）から順に、第１群レンズ１１と第２群レンズ１２とを備えた２群タイプのズームレンズである。ズームレンズ１０の鏡筒部分は、固定鏡筒１３、固定鏡筒１３に対して回転可能なズーム操作環１４、ズームレバー１５を介してズーム操作環１４と一体に回動されるカム環１６及び固定鏡筒１３に固定されたマウント環１７から構成されている。このズームレンズ１０は、マウント環１７を介してカメラボディ（不図示）のマウントに着脱可能となっている。
【００１１】
固定鏡筒１３には、第１群レンズ１１を支持する第１レンズ枠２１と、第２群レンズ１２を支持する第２レンズ枠２２とが直進移動可能に保持されていて、カム環１６の回動により第１群レンズ１１及び第２群レンズ１２が光軸Ｏに沿って移動する。第２レンズ枠２２は、第２群レンズ１２を支持する支持部２２ａと、支持部２２ａから被写体側に延出させた絞り収納部２２ｂとからなる。支持部２２ａには、遮光板３０（３１、３２）とその抜止用押えリング２４とが嵌合されていて、絞り収納部２２ｂには、第２群レンズ１２の前方に位置させて、絞り羽根１８が装着されている。
【００１２】
絞り羽根１８は、絞り開閉リング１８ａの回転によって開閉動作する。絞り開閉リング１８ａは、第２レンズ枠２２と固定鏡筒１３の間に配置されたレリーズレバー（回動部材）１９によって回転駆動される。レリーズレバー１９は、マウント環１７を貫通して外方に突出した第１腕部１９ａと、固定鏡筒１３と第２レンズ枠２２の間に挿通され、光軸Ｏと平行に延びる第２腕部１９ｂとを有している。このレリーズレバー１９は、光軸Ｏを中心として円運動可能となっていて、ズームレンズ１０が装着されるカメラボディ側の動力により回動し、絞り開閉リング１８ａを介して絞り羽根１８を開閉させる。
【００１３】
本実施形態ではさらに、絞りを手動調整するための絞り環２５を備え、この絞り環２５に連動する絞りレバー２６と上述のレリーズレバー１９とを回動部材として第２レンズ枠２２と固定鏡筒１３との間に備えている。
【００１４】
絞りレバー２６は、一端部が絞り環２５に軸支され、絞り環２５の回転に連動して光軸Ｏを中心に回動してマニュアルカム板２７を開閉させる。マニュアルカム板２７は、絞り羽根１８と同様の機能を有するもので、絞り羽根１８よりも第２群レンズ１２側の位置で第２レンズ枠２２の絞り収納部２２ｂに装着されている。
【００１５】
この絞りレバー２６とレリーズレバー１９は、光軸Ｏからの距離ｒが等しい同一円周上をそれぞれ独立して回動する。図２は、レリーズレバー１９（第２腕部１９ｂ）及び絞りレバー２６の回動範囲を示している。レリーズレバー１９は第１の位置Ｐ１から第２の位置Ｐ２までの間が回動範囲となっていて、絞りレバー２６は第１の位置Ｓ１から第２の位置Ｓ２までの間が回動範囲となっている。これら２つの回動範囲は、図２に明らかなように、光軸Ｏに対して略相対的となっていて重複していない。別言すれば、レリーズレバー１９及び絞りレバー２６は、それぞれの回動範囲が同一円周上にあって、且つ、重複しないように設けられている。なお、レリーズレバー１９の第２腕部１９ｂと絞りレバー２６は、図２に示すように、同一外形（断面長方形状）を有している。
【００１６】
以上のズームレンズ１０には、第２レンズ枠２２と固定鏡筒１３との間に進入した光路外光４０を遮光する遮光部材として、第１の遮光板３１及び第２の遮光板３２が設けられている。第１の遮光板３１は、第２レンズ枠２２と共に移動し、且つ、絞りレバー２６の動作を干渉することなくレリーズレバー１９と共に回動する。一方、第２の遮光板３２は、第２レンズ枠２２と共に移動し、且つ、レリーズレバー１９の動作を干渉することなく絞りレバー２６と共に回動する。本実施形態では、第１及び第２の遮光板３１、３２として、同一形状の遮光板３０を使用している。図３は遮光板３０（３１、３２）単体を示す平面図である。遮光板３０は、薄い金属またはプラスティックで形成することができる。
【００１７】
遮光板３０は、図３（ａ）に示すように、第２レンズ枠２２（支持部２２ａ）に嵌合する開口３０ａと、レリーズレバー１９（第２腕部１９ｂ）又は絞りレバー２６に嵌合する切欠部３０ｂと、レリーズレバー１９又は絞りレバー２６の動作を許容する許容部３０ｃとを有するリング状をなしている。切欠部３０ｂは、レリーズレバー１９の第２腕部１９ｂ及び絞りレバー２６の形状に対応させて形成してある。許容部３０ｃは、レリーズレバー１９の回動範囲及び絞りレバー２６の回動範囲に対応させて設けてある。なお、図３（ｂ）において、ハッチングを付した部分は光路外光４０の漏れの原因となる逃げ部分を示している。
【００１８】
この遮光板３０は、開口３０ａを介して第２レンズ枠２２の支持部２２ａに回転自在に嵌合され、その後、支持部２２ａに嵌合される抜止用押えリング２４によって抜け止めされる。切欠部３０ｂには、レリーズレバー１９（第２腕部１９ｂ）又は絞りレバー２６が嵌合される。図４（ａ）（ｂ）はレリーズレバー１９のみに遮光板３０（第１の遮光板３１）を装着した状態を、図４（ｃ）（ｄ）は絞りレバー２６のみに遮光板３０（第２の遮光板３２）を装着した状態を、それぞれ示している。
【００１９】
レリーズレバー１９（第２腕部１９ｂ）に遮光板３０（第１の遮光板３１）を装着した状態では、レリーズレバー１９が第１の位置Ｐ１に位置する場合（図４（ａ））も第２の位置Ｐ２に位置する場合（図４（ｂ））も、絞りレバー２６の回動範囲が、許容部３０ｃによって動作が許容される許容範囲に含まれていることがわかる。同様に、絞りレバー２６に遮光板３０（第２の遮光板３２）を装着した状態では、絞りレバー２６が第１の位置Ｓ１に位置する場合（図４（ｃ））も第２の位置Ｓ２に位置する場合（図４（ｄ））も、レリーズレバー１９の回動範囲が、許容部３０ｃの許容範囲に含まれていることがわかる。このように許容部３０ｃの許容範囲にレリーズレバー１９及び絞りレバー２６の回動範囲が含まれていると、レリーズレバー１９の動作が第２の遮光板３２によって干渉されることがなく、また、絞りレバー２６の動作が第１の遮光板３１によって干渉されることがない。これにより、レリーズレバー１９と絞りレバー２６は、それぞれ独立して動作することが可能となっている。
【００２０】
図５（ａ）〜（ｄ）は、レリーズレバー１９と絞りレバー２６の両方に遮光板３０（第１の遮光板３１、第２の遮光板３２）を装着した状態を示している。この状態では、一方の遮光板の許容部が他方の遮光板によって塞がれるため、漏光の原因となる逃げ部分（図３（ｂ）のハッチング部分）を無くすことができる。すなわち、第２レンズ枠２２と固定鏡筒１３との間は、第１の遮光板３１、第２の遮光板３２、レリーズレバー１９及び絞りレバー２６を介して塞がれ、第２レンズ枠２２と固定鏡筒１３との間に進入した光路外光４０を遮光することができる。
【００２１】
このように本実施形態では、第１及び第２の遮光板３１、３２を第２レンズ枠２２と共に移動させ、且つ、第１の遮光板３１を絞りレバー２６の動作を干渉することなくレリーズレバー１９と共に回動させると共に、第２の遮光板３２をレリーズレバー１９の動作を干渉することなく絞りレバー２６と共に回動させる構成にしてある。これにより、第２レンズ枠２２と固定鏡筒１３の間に回動部材が２つある場合でも、確実に光路外光を遮光することができ、良好な撮影を行うことができるようになる。また、従来の遮光構造よりも省スペースで済むので設計上の制約が少なくなり、第２群レンズが第１群レンズに比して大きい場合やレンズ移動量が多い場合でも確実に遮光することができる。
【００２２】
以上では、回動部材を２つ備えたズームレンズ１０に本発明を適用した実施形態について説明したが、本発明は、回動部材の動作範囲がレンズ光軸Ｏからの距離が等しい同一円周上にあり、且つ、重複しないことを条件として、３つ以上の独立した回動部材を備えた場合にも適用可能である。
【００２３】
以上の実施形態では、本発明を２群タイプのズームレンズ１０に適用しているが、単レンズや３群以上のタイプのズームレンズに適用することも可能である。
【００２４】
以上、図示実施形態を参照して本発明を説明したが、本発明の遮光構造は図示実施形態に限定されるものではなく、種々の変形が可能である。
【００２５】
【発明の効果】
本発明によれば、設計上の制約が少ない構造で、光路外光を確実に遮光できるレンズ鏡筒の遮光構造を得ることができる。
【図面の簡単な説明】
【図１】本発明を適用したズームレンズの一実施形態を示す模式図である。（ａ）はワイド位置を示し、（ｂ）はテレ位置を示している。
【図２】図１のズームレンズに設けたレリーズレバーと絞りレバーの回動範囲を示す図である。
【図３】図１のズームレンズに設けた遮光板を単体で示す平面図である。
【図４】（ａ）レリーズレバーに遮光板を設けた状態であって、レリーズレバーが第１の位置にある場合を示す図である。
（ｂ）レリーズレバーに遮光板を設けた状態であって、レリーズレバーが第２の位置にある場合を示す図である。
（ｃ）絞りレバーに遮光板を設けた状態であって、絞りレバーが第１の位置にある場合を示す図である。
（ｄ）絞りレバーに遮光板を設けた状態であって、絞りレバーが第２の位置にある場合を示す図である。
【図５】レリーズレバーと絞りレバーの両方に遮光板を設けた状態を示す図である。
（ａ）レリーズレバーが第１の位置にあって、且つ絞りレバーが第１の位置にある場合を示す図である。
（ｂ）レリーズレバーが第２の位置にあって、且つ絞りレバーが第１の位置にある場合を示す図である。
（ｃ）レリーズレバーが第１の位置にあって、且つ絞りレバーが第２の位置にある場合を示す図である。
（ｄ）レリーズレバーが第２の位置にあって、且つ絞りレバーが第２の位置にある場合を示す図である。
【図６】従来の一般的なズームレンズ（２群タイプ）を示す模式図である。（ａ）はワイド位置を示し、（ｂ）はテレ位置を示している。
【図７】図６のズームレンズに従来の遮光対策を施した一例を示す模式図である。（ａ）はワイド位置を示し、（ｂ）はテレ位置を示している。
【図８】図６のズームレンズに従来の別の遮光対策を施した一例を示す模式図である。（ａ）はワイド位置を示し、（ｂ）はテレ位置を示している。
【図９】従来の遮光対策が困難なタイプのズームレンズの一例を示す模式図である。（ａ）はワイド位置を示し、（ｂ）はテレ位置を示している。
【符号の説明】
１０  １００  ズームレンズ
１１  １１０  第１群レンズ
１２  １２０  第２群レンズ
１３  １３０  固定鏡筒（円筒状支持部材）
１４  １４０  ズーム操作環
１５  １５０  ズームレバー
１６  １６０  カム環
１７  １７０  マウント環
１８  １８０  絞り羽根
１８ａ  １８０ａ  絞り開閉リング
１９  １９０  レリーズレバー（回動部材）
１９ａ  第１腕部
１９ｂ  第２腕部
２１  ２１０  第１レンズ枠
２２  ２２０  第２レンズ枠（レンズ保持部材）
２２ａ  支持部
２２ｂ  絞り収納部
２４  抜止用押えリング
２５  絞り環
２６  絞りレバー（回動部材）
２７  マニュアルカム板
３０  遮光板（リング状遮光部材）
３０ａ  開口
３０ｂ  切欠部
３０ｃ  許容部
３１  第１の遮光板（リング状遮光部材）
３２  第２の遮光板（リング状遮光部材）
４０  ４００  光路外光
１７１  鏡筒固定絞り
１９１  可動絞り枠
２２１  レンズ固定絞り
【図１】
0003831651.tif 000002
【図２】
0003831651.tif 000003
【図３】
0003831651.tif 000004
【図４】
0003831651.tif 000005
【図５】
0003831651.tif 000006
【図６】
0003831651.tif 000007
【図７】
0003831651.tif 000008
【図８】
0003831651.tif 000009
【図９】
0003831651.tif 000010